(57)【要約】【課題】同一の光源ブロックを構成する複数の光源の経年劣化の度合に個体差が生じた場合の輝度ムラや色ムラを抑制する技術を提供する。【解決手段】複数の光源を含む光源ブロックを有する照明手段と、画像信号に基づき画像を表示する表示手段と、複数の測定位置における、前記光源ブロックから到達する光の輝度を測定する複数の測定手段と、少なくとも前記複数の測定位置における、前記光源ブロックから到達する光の初期の輝度に関する輝度情報を記憶する記憶手段と、前記記憶手段に記憶された前記輝度情報と、前記光源ブロックを点灯させたときの前記複数の測定手段による測定結果と、に基づき、前記光源ブロックの発光量を調整する設定手段と、前記記憶手段に記憶された前記輝度情報と、前記複数の測定手段による測定結果と、前記光源ブロックの発光量の調整値と、に基づき、前記画像信号を補正する補正手段と、を備える画像表示装置。【選択図】図１
2014170218.tif 000002
【特許請求の範囲】
【請求項１】
複数の光源を含む光源ブロックを有する照明手段と、
画像信号に基づき画像を表示する表示手段と、
複数の測定位置における、前記光源ブロックから到達する光の輝度を測定する複数の測定手段と、
少なくとも前記複数の測定位置における、前記光源ブロックから到達する光の初期の輝度に関する輝度情報を記憶する記憶手段と、
前記記憶手段に記憶された前記輝度情報と、前記光源ブロックを点灯させたときの前記複数の測定手段による測定結果と、に基づき、前記光源ブロックの発光量を調整する設定手段と、
前記記憶手段に記憶された前記輝度情報と、前記複数の測定手段による測定結果と、前記光源ブロックの発光量の調整値と、に基づき、前記画像信号を補正する補正手段と、
を備える画像表示装置。
【請求項２】
前記記憶手段に記憶された前記輝度情報は、前記光源ブロックから到達する光の初期の輝度分布に関する輝度分布情報であり、
前記記憶手段に記憶された前記輝度分布情報と、前記複数の測定手段による測定結果とに基づき、前記光源ブロックを点灯させたときの輝度分布を推測する推測手段をさらに備え、
前記補正手段は、前記推測手段により推測された輝度分布と、前記光源ブロックの発光量の調整値と、に基づき、調整後の前記光源ブロックの輝度分布情報を算出し、算出した輝度分布情報と、前記記憶手段に記憶された前記輝度分布情報との差分に基づき、前記画像信号を補正する請求項１に記載の画像表示装置。
【請求項３】
前記照明手段は、複数の光源ブロックを有し、各光源ブロックは複数の光源を有し、
前記記憶手段は、光源ブロックごとに、少なくとも前記複数の測定位置における、その光源ブロックから到達する光の初期の輝度に関する輝度情報を記憶しており、
前記設定手段は、光源ブロックごとに、前記記憶手段に記憶されたその光源ブロックの前記輝度情報と、その光源ブロックを点灯させたときの前記複数の測定手段による測定結果と、に基づき、その光源ブロックの光源の発光量を調整し、
前記補正手段は、光源ブロックごとに、前記記憶手段に記憶されたその光源ブロックの前記輝度情報と、前記複数の測定手段による測定結果と、その光源ブロックの発光量の調整値と、に基づき、その光源ブロックに対応する画像領域の画像信号を補正する請求項１に記載の画像表示装置。
【請求項４】
前記記憶手段に記憶された光源ブロックごとの輝度情報は、その光源ブロックから到達する光の初期の輝度分布に関する輝度分布情報であり、
光源ブロックごとに、前記記憶手段に記憶されたその光源ブロックの輝度分布情報と、前記複数の測定手段による測定結果と、に基づき、その光源ブロックを点灯させたときの輝度分布を推測する推測手段をさらに備え、
前記補正手段は、光源ブロックごとに、前記推測手段により推測されたその光源ブロックを点灯させたときの輝度分布と、その光源ブロックの発光量の調整値と、に基づき、調整後のその光源ブロックの輝度分布情報を算出し、算出した輝度分布情報と、前記記憶手段に記憶されたその光源ブロックの前記輝度分布情報との差分に基づき、その光源ブロックに対応する画像領域の画像信号を補正する請求項３に記載の画像表示装置。
【請求項５】
前記設定手段は、前記光源ブロック単位で発光量を調整可能であることを特徴とする請求項１〜４のいずれか１項に記載の画像表示装置。
【請求項６】
前記推測手段は、光源ブロックから予め定めた範囲内にある測定手段による測定結果に基づき、その光源ブロックの複数の光源を点灯させたときのその光源ブロックの輝度分布を推測する請求項２又は４に記載の画像表示装置。
【請求項７】
前記推測手段は、光源ブロックごとに、前記記憶手段に記憶された前記各測定手段の測定位置におけるその光源ブロックから到達する光の初期の輝度に対する、前記各測定位置において前記各測定手段により測定されるその光源ブロックを点灯させたときの輝度の比が、前記各測定手段の間で同じでない場合、その光源ブロックの複数の光源の劣化の度合にばらつきがあると判定し、その光源ブロックの輝度分布の推測を行う請求項２，４，６のいずれか１項に記載の画像表示装置。
【請求項８】
光源ブロックの複数の光源の劣化の度合にばらつきがあると判定された場合、前記設定手段は、最も輝度が低下した光源の輝度が当該光源の初期時の輝度と等しくなるように、又は、最も輝度が低下した光源の輝度が、最も輝度の低下の度合が小さかった光源の輝度と等しくなるように、当該光源ブロックの発光量を調整する請求項７に記載の画像表示装置。
【請求項９】
光源ブロックの複数の光源の劣化の度合にばらつきがあると判定された場合、前記設定手段は前記光源ブロックの発光量の調整を行わず、前記補正手段は、当該光源ブロックの全ての光源の輝度の低下の度合が、最も輝度が低下した光源の輝度の低下の度合と等しいと仮定した場合の光源ブロックの輝度分布情報を算出し、算出した輝度分布情報と、前記推測手段により推測された輝度分布と、の差分に基づき前記画像信号を補正する請求項７に記載の画像表示装置。
【請求項１０】
前記推測手段は、光源ブロックごとに、前記記憶手段に記憶された前記各測定手段の測定位置におけるその光源ブロックから到達する光の初期の輝度に対する、前記各測定位置において前記各測定手段により測定されるその光源ブロックを点灯させたときの輝度の比が、前記各測定手段の間で同じである場合、その光源ブロックの複数の光源の劣化の度合にばらつきがないと判定し、前記記憶手段に記憶されているその光源ブロックの初期の輝度分布情報に基づきその光源ブロックの輝度分布の推測を行う請求項２、４、６のいずれか１項に記載の画像表示装置。
【請求項１１】
複数の光源を含む光源ブロックを有する照明手段と、
画像信号に基づき画像を表示する表示手段と、
複数の測定位置における、前記光源ブロックから到達する光の輝度を測定する複数の測定手段と、
を備える画像表示装置の制御方法であって、
記憶手段から、少なくとも前記複数の測定位置における、前記光源ブロックから到達する光の初期の輝度に関する輝度情報を読み込む工程と、
前記記憶手段に記憶された前記輝度情報と、前記光源ブロックを点灯させたときの前記複数の測定手段による測定結果と、に基づき、前記光源ブロックの発光量を調整する設定工程と、
前記記憶手段に記憶された前記輝度情報と、前記複数の測定手段による測定結果と、前記光源ブロックの発光量の調整値と、に基づき、前記画像信号を補正する補正工程と、
を有する画像表示装置の制御方法。
【請求項１２】
前記記憶手段に記憶された前記輝度情報は、前記光源ブロックから到達する光の初期の輝度分布に関する輝度分布情報であり、
前記記憶手段に記憶された前記輝度分布情報と、前記複数の測定手段による測定結果とに基づき、前記光源ブロックを点灯させたときの輝度分布を推測する推測工程をさらに有
し、
前記補正工程では、前記推測工程により推測された輝度分布と、前記光源ブロックの発光量の調整値と、に基づき、調整後の前記光源ブロックの輝度分布情報を算出し、算出した輝度分布情報と、前記記憶手段に記憶された前記輝度分布情報との差分に基づき、前記画像信号を補正する請求項１１に記載の画像表示装置の制御方法。
【請求項１３】
前記照明手段は、複数の光源ブロックを有し、各光源ブロックは複数の光源を有し、
前記記憶手段は、光源ブロックごとに、少なくとも前記複数の測定位置における、その光源ブロックから到達する光の初期の輝度に関する輝度情報を記憶しており、
前記設定工程では、光源ブロックごとに、前記記憶手段に記憶されたその光源ブロックの前記輝度情報と、その光源ブロックを点灯させたときの前記複数の測定手段による測定結果と、に基づき、その光源ブロックの光源の発光量を調整し、
前記補正工程では、光源ブロックごとに、前記記憶手段に記憶されたその光源ブロックの前記輝度情報と、前記複数の測定手段による測定結果と、その光源ブロックの発光量の調整値と、に基づき、その光源ブロックに対応する画像領域の画像信号を補正する請求項１１に記載の画像表示装置の制御方法。
【請求項１４】
前記記憶手段に記憶された光源ブロックごとの輝度情報は、その光源ブロックから到達する光の初期の輝度分布に関する輝度分布情報であり、
光源ブロックごとに、前記記憶手段に記憶されたその光源ブロックの輝度分布情報と、前記複数の測定手段による測定結果と、に基づき、その光源ブロックを点灯させたときの輝度分布を推測する推測工程をさらに有し、
前記補正工程では、光源ブロックごとに、前記推測工程により推測されたその光源ブロックを点灯させたときの輝度分布と、その光源ブロックの発光量の調整値と、に基づき、調整後のその光源ブロックの輝度分布情報を算出し、算出した輝度分布情報と、前記記憶手段に記憶されたその光源ブロックの前記輝度分布情報との差分に基づき、その光源ブロックに対応する画像領域の画像信号を補正する請求項１３に記載の画像表示装置の制御方法。
【請求項１５】
前記設定工程では、前記光源ブロック単位で発光量を調整可能である請求項１１〜１４のいずれか１項に記載の画像表示装置の制御方法。
【請求項１６】
前記推測工程では、光源ブロックから予め定めた範囲内にある測定手段による測定結果に基づき、その光源ブロックの複数の光源を点灯させたときのその光源ブロックの輝度分布を推測する請求項１２又は１４に記載の画像表示装置の制御方法。
【請求項１７】
前記推測工程では、光源ブロックごとに、前記記憶手段に記憶された前記各測定手段の測定位置におけるその光源ブロックから到達する光の初期の輝度に対する、前記各測定位置において前記各測定手段により測定されるその光源ブロックを点灯させたときの輝度の比が、前記各測定手段の間で同じでない場合、その光源ブロックの複数の光源の劣化の度合にばらつきがあると判定し、その光源ブロックの輝度分布の推測を行う請求項１２，１４，１６のいずれか１項に記載の画像表示装置の制御方法。
【請求項１８】
光源ブロックの複数の光源の劣化の度合にばらつきがあると判定された場合、前記設定工程では、最も輝度が低下した光源の輝度が当該光源の初期時の輝度と等しくなるように、又は、最も輝度が低下した光源の輝度が、最も輝度の低下の度合が小さかった光源の輝度と等しくなるように、当該光源ブロックの発光量を調整する請求項１７に記載の画像表示装置の制御方法。
【請求項１９】
光源ブロックの複数の光源の劣化の度合にばらつきがあると判定された場合、前記設定
工程では前記光源ブロックの発光量の調整を行わず、前記補正工程では、当該光源ブロックの全ての光源の輝度の低下の度合が、最も輝度が低下した光源の輝度の低下の度合と等しいと仮定した場合の光源ブロックの輝度分布情報を算出し、算出した輝度分布情報と、前記推測工程により推測された輝度分布と、の差分に基づき前記画像信号を補正する請求項１７に記載の画像表示装置の制御方法。 
【請求項２０】
前記推測工程では、光源ブロックごとに、前記記憶手段に記憶された前記各測定手段の測定位置におけるその光源ブロックから到達する光の初期の輝度に対する、前記各測定位置において前記各測定手段により測定されるその光源ブロックを点灯させたときの輝度の比が、前記各測定手段の間で同じである場合、その光源ブロックの複数の光源の劣化の度合にばらつきがないと判定し、前記記憶手段に記憶されているその光源ブロックの初期の輝度分布情報に基づきその光源ブロックの輝度分布の推測を行う請求項１２，１４，１６のいずれか１項に記載の画像表示装置の制御方法。
【発明の詳細な説明】
【技術分野】
【０００１】
本発明は、画像表示装置及びその制御方法に関するものである。
【背景技術】
【０００２】
液晶表示装置用バックライトには、大きくわけてエッジ（サイドライト）型と直下型と呼ばれるものがある。前者のエッジ型は液晶パネル後方に配置される導光板の周囲に光源を配置したものであり、後者の直下型は液晶パネル後方に光源を配置し背面から直接液晶パネルを照明するものである。一般的には、両方式のバックライトとも、光源数個の組み合わせを光源ブロックとし、この光源ブロックを複数個組み合わせて一つのバックライトを構成している。
【０００３】
ここで、バックライトの光源が発光ダイオード（以下ＬＥＤ）の場合は、各光源ブロックに光源駆動回路が接続され、光源駆動回路が定電流を流してＬＥＤを発光させる。しかし、ＬＥＤの輝度や色度には個体差があるため、すべての光源ブロックに同一の電流を流すとバックライト上に輝度ムラ、色ムラが発生してしまう。そこで、輝度ムラ、色ムラを抑制するため、製品出荷時に各光源ブロックのＬＥＤ駆動条件を調整して出荷するのが一般的である。
【０００４】
また、製品出荷後に生じる温度変化や経年劣化に起因するＬＥＤの輝度変化に対しては、輝度検出回路で輝度変化量を検出し、輝度変化量に応じてＬＥＤ駆動条件を調整してバックライト自体の輝度ムラ、色ムラを抑制することが一般的に行われている。
【０００５】
このようなＬＥＤの経年劣化に起因する輝度ムラを抑制する処理方法の一例として、特許文献１に記載された技術がある。特許文献１では、エッジ型のバックライトにおいて、液晶パネルの表示領域を複数に区分して各領域の輝度を測定し、測定した輝度情報から輝度の分布を示す分布データを求める。そして、分布データを元に画像信号の階調を変調し、この分布データと画像信号を元にバックライトの光量を制御する。特許文献１によれば、ＬＥＤを点灯したときの輝度分布がガウス分布に近似可能なとき、輝度分布と画像信号を元にバックライトの光量を制御することで、バックライトの経年劣化に起因する輝度ムラを解消できる。
【先行技術文献】
【特許文献】
【０００６】
【特許文献１】特開２００８−３１０１４７号公報
【発明の概要】
【発明が解決しようとする課題】
【０００７】
同一の光源ブロックを構成する複数のＬＥＤの経年劣化の度合に個体差が生じた場合、複数のＬＥＤを点灯したときの輝度分布が設計時に想定していない分布となる可能性がある。このような場合には、特許文献１に記載の画像処理では輝度ムラを抑制することができない。また、同一の光源ブロックを構成する複数のＬＥＤの経年劣化の度合に個体差が生じた場合、ＬＥＤの駆動条件を調整してもバックライトに輝度ムラが発生してしまう。
【０００８】
そこで、本発明は、同一の光源ブロックを構成する複数の光源の経年劣化の度合に個体差が生じた場合の輝度ムラや色ムラを抑制する技術を提供することを目的とする。
【課題を解決するための手段】
【０００９】
本発明は、複数の光源を含む光源ブロックを有する照明手段と、
画像信号に基づき画像を表示する表示手段と、
複数の測定位置における、前記光源ブロックから到達する光の輝度を測定する複数の測定手段と、
少なくとも前記複数の測定位置における、前記光源ブロックから到達する光の初期の輝度に関する輝度情報を記憶する記憶手段と、
前記記憶手段に記憶された前記輝度情報と、前記光源ブロックを点灯させたときの前記複数の測定手段による測定結果と、に基づき、前記光源ブロックの発光量を調整する設定手段と、
前記記憶手段に記憶された前記輝度情報と、前記複数の測定手段による測定結果と、前記光源ブロックの発光量の調整値と、に基づき、前記画像信号を補正する補正手段と、
を備える画像表示装置である。
【００１０】
本発明は、複数の光源を含む光源ブロックを有する照明手段と、
画像信号に基づき画像を表示する表示手段と、
複数の測定位置における、前記光源ブロックから到達する光の輝度を測定する複数の測定手段と、
を備える画像表示装置の制御方法であって、
記憶手段から、少なくとも前記複数の測定位置における、前記光源ブロックから到達する光の初期の輝度に関する輝度情報を読み込む工程と、
前記記憶手段に記憶された前記輝度情報と、前記光源ブロックを点灯させたときの前記複数の測定手段による測定結果と、に基づき、前記光源ブロックの発光量を調整する設定工程と、
前記記憶手段に記憶された前記輝度情報と、前記複数の測定手段による測定結果と、前記光源ブロックの発光量の調整値と、に基づき、前記画像信号を補正する補正工程と、
を有する画像表示装置の制御方法である。
【発明の効果】
【００１１】
本発明によれば、同一の光源ブロックを構成する複数の光源の経年劣化の度合に個体差が生じた場合の輝度ムラや色ムラを抑制することができる。
【図面の簡単な説明】
【００１２】
【図１】実施形態に係る液晶表示装置及びバックライトの概略構成を示すブロック図
【図２】単体光源Ｗ１１の輝度分布と輝度検出値との関係を示す図
【図３】単体光源Ｗ１２の輝度分布と輝度検出値との関係を示す図
【図４】初期時輝度測定処理について説明するためのフローチャート
【図５】光源ブロックが点灯したときの輝度分布と輝度検出値との関係
【図６】経年劣化後に推測した輝度分布形状に基づく輝度補正処理のフロー
【図７】初期時と経年劣化後の輝度検出値の変化を示す表
【図８】経年劣化後の輝度分布について示す図
【図９】輝度分布形状推測結果に基づく光源ブロックの輝度分布
【図１０】輝度分布形状推測結果に基づく輝度ムラを示す図
【図１１】実施例１を二次元配列された光源に適用した場合を示す図
【図１２】実施例３によるムラ補正を行った結果を示す図
【発明を実施するための形態】
【００１３】
（実施例１）
図１は、本発明の実施形態に係る画像表示装置の概略構成を示すブロック図である。以下、図１を参照して、本発明の第一の実施例による液晶表示装置の構成を説明する。
【００１４】
図１に示す液晶表示装置１は、入力部１０、補正部１１、表示部１２、光源１３、光源駆動回路部１４、光源輝度検出部１５、メモリ１６、光源輝度比較部１７、輝度分布推測部１８、光源駆動条件設定部１９、制御部２２から構成される。
【００１５】
入力部１０は、外部の画像信号出力装置（図示しない）が出力した画像信号を受信するインターフェースである。
【００１６】
補正部１１は、入力部１０が受信した画像信号にユーザが指定した条件の補正を加えて出力する。また、後述する光源１３の発光状態に輝度ムラや色ムラがある場合に、ムラを抑制するための補正を画像信号に加える。
【００１７】
表示部１２は、補正部１１にてユーザが指定した条件の補正を加えた画像信号を受信し、画像信号に基づく画像を表示する。本発明において、表示部１２は液晶パネルであるが、本発明の実施の形態は液晶パネルに限られない。
【００１８】
光源１３は、表示部１２を後方から照射する光源であり、発光ダイオード（ＬＥＤ）等の発光素子や蛍光灯等の単体光源を複数個備える。また、本発明では単体光源を複数個組み合わせた光源の集合を光源ブロックとして定義し、光源１３は一つ以上の光源ブロックを有する。複数の光源ブロックを有する構成の光源１３では、光源ブロック毎に独立に発光を制御可能である。すなわち、光源１３は、発光を独立に制御可能な一又は複数の光源ブロックに区分（分割）されており、各光源ブロックは複数の単体光源（発光素子）からなる。
【００１９】
光源駆動回路部１４は、各光源ブロックを個別に駆動する複数の光源駆動回路によって構成されている。光源駆動回路部１４は、定電流回路とＰＷＭ駆動回路によって構成され、光源ブロック毎の電流量とＰＷＭ駆動のパルス幅変調量（デューティ比）を調整して光源ブロック毎の点灯輝度（発光量）を調整する。光源駆動回路部１４は、光源ブロック単位で発光量を調整可能であるが、光源ブロックを構成する単体光源単位で発光量を調整することはできない。これは、光源ブロックを構成する単体光源が、同一の光源駆動回路に接続されているためである。
【００２０】
光源輝度検出部１５は、光源ブロックを点灯させたときの光源１３の輝度を測定する。光源輝度検出部１５は、単色又は複数色の光の輝度を検出可能な輝度センサＩＣで構成されている。光源輝度検出部１５は、複数の測定位置における、光源ブロックから到達する光の輝度を測定する複数の輝度センサを有する。
【００２１】
メモリ１６は、各光源ブロックを所定の条件で点灯させたときの初期輝度値を保存する記憶装置である。
【００２２】
光源輝度比較部１７は、メモリ１６に保存されている初期輝度値と、経年劣化後に光源輝度検出部１５が検出した輝度値とを比較し、光源ブロックを構成する単体光源の経年劣化度を算出する。
【００２３】
輝度分布推測部１８は、光源輝度比較部１７が算出した単体光源の経年劣化度から光源ブロックの輝度分布（輝度プロファイル）を推測する。
【００２４】
光源駆動条件設定部１９は、輝度分布推測部１８が推測した光源ブロックの輝度分布形状を基に、光源１３を構成するすべての光源ブロックが点灯したときに輝度ムラ及び色ムラを抑制することができる光源ブロックごとの発光量を設定する。そして、設定した発光量を光源１３の駆動条件として光源駆動回路部１４に伝送する。
【００２５】
制御部２２は、後述する輝度分布測定処理や輝度補正処理、輝度分布推測処理等を実行するために光源輝度検出部１５等の上記の各機能ブロックの動作を制御する。
【００２６】
以上が本発明の第一の実施例による液晶表示装置用バックライトの構成である。なお、本発明は液晶表示装置用バックライトに限らず、複数の光源ブロックからなる照明装置であって、光源ブロックが複数の単体光源から構成される照明装置一般に適用可能である。
【００２７】
次に、図２、図３、図４及び図５を参照して、本発明の第一の実施例による液晶表示装置用バックライトの初期時輝度測定処理を説明する。図２及び図３は、本発明の単体光源の輝度分布と光源輝度検出部１５が検出する輝度との関係を示す図である。図４は、本発明の初期時輝度測定処理について説明するためのフローチャートである。また、図５は光源１３を構成する光源ブロックが点灯したときの輝度分布と光源輝度検出部１５が検出する輝度との関係を示す図である。
【００２８】
まず事前準備として、基本となる単体光源の輝度分布と、単体光源点灯時に光源輝度検出部１５が検出する輝度（輝度検出値）と、の関係を実測し、拡散構造の性能に関する輝度分布情報をメモリ１６に記憶しておく。なお、単体光源の輝度分布は、単体光源のみを点灯させる構造を別途設けて測定することとする。単体光源Ｗ１１が点灯したときに光源輝度検出部１５の輝度検出センサＳ１が取得する輝度検出値について図２に示す。
【００２９】
図２で示すように本実施例では光源１３を直下型光源とする。図２の単体光源Ｗ１１が点灯したときの輝度分布は、単体光源Ｗ１１の直上でピーク輝度ＬW11となり、単体光源
Ｗ１１から離れるにつれて輝度が低下する。単体光源Ｗ１１の輝度分布は、単体光源Ｗ１１から予め定められた距離Ｘ毎に輝度を測定することで求めることができる。図２では、単体光源Ｗ１１から距離Ｘ1離れたところでの輝度をＬＸ1、距離Ｘ2離れたところでの輝
度をＬＸ2、のように定義し、光源からの距離２Ｄ〜３Ｄ離れたところまで測定すること
とする。ここで、ＤはＬＥＤが設けられた基板２１から拡散板２０までの空間距離とする。
このような測定結果に基づき、単体光源の初期時（Ｔ０）の輝度分布に関する情報（輝度分布情報）をメモリ１６に予め記憶する。単体光源Ｗ１１から予め定められた距離Ｘｍ（ｍ＝１，２，３・・・Ｍ）毎に測定された輝度値ＬX1(T0)，ＬX2(T0)，ＬX3(T0)，・・・ＬXM(T0)が、単体光源Ｗ１１の初期の輝度分布に関する情報としてメモリ１６に予め記憶される。同様に、単体光源Ｗ１２およびその他の単体光源に関する初期の輝度分布に関する情報が、メモリ１６に予め記憶される。このようにして記憶された単体光源の初期時（Ｔ０）の輝度分布情報は、後で説明する式（９）による計算に用いられる。なお、輝度検出センサＳ１による測定輝度値に、どのような係数を掛け合わせれば、単体光源Ｗ１１から予め定められた距離Ｘｍ毎に測定された輝度値となるかを算出し、求められた係数をメモリ１６に予め記憶しておくようにしてもよい。
【００３０】
また、単体光源Ｗ１１の輝度分布上で光源ブロックＢ１の中心点位置における輝度をＬW11B1と定義する。同様に、単体光源Ｗ１２の輝度分布上で光源ブロックＢ１の中心点位
置における輝度をＬW12B1と定義する。なお、本実施例では、説明を簡単にするため単体
光源Ｗ１１と単体光源Ｗ１２の画像表示装置の使用の初期時の輝度分布形状は同一であるものとする。ただし、使用過程におけるそれぞれの単体光源の輝度分布の変化の仕方は同一とは限らない。
【００３１】
次に、単体光源点灯時に光源輝度検出部１５が取得する輝度検出値について説明する。図２の単体光源Ｗ１１が点灯したときに光源輝度検出部１５の輝度検出センサＳ１が取得する輝度検出値をＬS1W11とすると、輝度検出センサＳ１は単体光源Ｗ１１の輝度分布上
の位置Ｐ１の輝度を検出していることになる。このとき、ＬS1W11は 
【数１】
2014170218.tif 000003
と表せる。ここで、係数ＣW11S1は、光源１３上に設置される拡散板や拡散シート、また
反射板等の拡散構造に依存する係数で、実測値から求められるものとする。
【００３２】
次の図３は、単体光源Ｗ１２が点灯したときに光源輝度検出部１５の輝度検出センサＳ１が取得する輝度検出値について示す図である。単体光源Ｗ１２が点灯したときに輝度検出センサＳ１が取得する輝度検出値をＬS1W12とすると、輝度検出センサＳ１は単体光源
Ｗ１２の輝度分布上の位置Ｐ１の輝度を検出することになり、このときＬS1W12は
【数２】
2014170218.tif 000004
と表せる。上記の係数ＣW12S1も実測値から求められるものとする。
【００３３】
以下、同様に単体光源Ｗ１１が点灯したときに輝度検出センサＳ２が取得する輝度検出値ＬS2W11は、
【数３】
2014170218.tif 000005
【００３４】
単体光源Ｗ１２が点灯したときに輝度検出センサＳ２が取得する輝度検出値ＬS2W12は
、
【数４】
2014170218.tif 000006
と表すことができる。本実施例では、式（１）から式（４）の関係式を用いて、各ＬＥＤの輝度劣化度を推測する。
【００３５】
次に、図４と図５を用いて本発明の初期時輝度測定処理について説明する。
【００３６】
まず、図４のステップＳ１００において、入力部１０は輝度ムラ及び色ムラ調整用の画像信号を受信し、補正部１１に送信する。補正部１１は、この調整用画像信号を表示部１２へ送信し、表示部１２は画像信号に基づく画像を表示する。
【００３７】
次に、ステップＳ１０１において、光源駆動条件設定部１９は、輝度ムラ及び色ムラ調整初期用の駆動条件を設定し、光源駆動回路部１４へ伝送する。
【００３８】
次に、ステップＳ１０２において、光源駆動回路部１４は、輝度ムラ及び色ムラ調整初期用の駆動条件にて光源１３を点灯させる。ムラ調整時は、光源１３を構成するすべての光源ブロックを同時に点灯させる。ここで本実施例の光源１３は、説明をわかりやすくするため、図５で示すように光源ブロックＢ１のみで構成されているものとし、光源ブロックＢ１は単体光源Ｗ１１及び単体光源Ｗ１２の計２個の単体光源を有し、各単体光源は白色のＬＥＤとする。また、光源ブロックＢ１において、単体光源Ｗ１１及び単体光源Ｗ１２は電気的に直列接続され、一つの光源駆動回路に接続されているものとする。輝度検出センサはＳ１及びＳ２の計２個が配置されているものとする。
【００３９】
次に、ステップＳ１０３において、光源駆動条件設定部１９は、液晶表示装置１の外部の測定装置２３による表示部１２の輝度ムラ及び色ムラの測定結果を取得する。測定装置
２３と液晶表示装置１とは有線又は無線の通信手段により接続され、情報の送受信を行う。
【００４０】
次に、ステップＳ１０４において、光源駆動条件設定部１９は、ステップＳ１０３で測定した輝度ムラ及び色ムラが要求性能（スペック）を満たしているか否かを判定する。ここで、輝度ムラ又は色ムラが要求性能を満たしていない場合、光源駆動条件設定部１９は、ステップＳ１０１に戻り、輝度ムラ及び色ムラの測定値に基づいて各光源ブロックの光源駆動条件を微調整する。
【００４１】
以上、ステップＳ１０１からステップＳ１０４までの処理は、輝度ムラ及び色ムラが要求性能を満たすまで繰り返し行われる。
【００４２】
ステップＳ１０４において、輝度ムラ及び色ムラがスペックを満たしたと判定された場合に、制御部２２は、光源１３を構成する全光源ブロックの各々の初期時の輝度分布の測定を行う。
【００４３】
まず、ステップＳ１０５において、制御部２２は、光源ブロック番号のカウンタｎに初期値１を設定する。光源１３を構成するＮ個の光源ブロックには１〜Ｎの番号が振られている。
【００４４】
次に、ステップＳ１０６において、光源駆動回路部１４は、ｎ番目の光源ブロックのみを点灯させる。図５の場合、光源駆動回路部１４は、Ｂ１の光源ブロックのみを点灯させる。
【００４５】
次に、ステップＳ１０７において、光源輝度検出部１５は、ｎ番目の光源ブロック周囲にある輝度検出センサから輝度検出値を取得する。輝度検出値を取得する輝度センサの数及び位置は、各光源ブロックの配置間隔と拡散構造から光源の拡散範囲を推定して決定されている。例えば、光源から拡散板までの空間距離をＤとすると、光源ブロックの中心点から半径２Ｄ〜３Ｄの円内にある輝度検出センサの輝度検出値を取得すればよい。図５によると、光源ブロックＢ１の中心点から半径２Ｄ〜３Ｄの範囲にある輝度検出センサはＳ１、Ｓ２である。よって、光源輝度検出部１５は、光源ブロックＢ１を点灯させたときに、輝度検出センサＳ１及びＳ２から輝度検出値を取得し、光源ブロックＢ１の初期輝度検出値とする。
【００４６】
ここで図５に示す光源ブロックが点灯したときの輝度分布と光源輝度検出部１５が取得する輝度検出値との関係について詳細を説明する。
【００４７】
図５で示すように光源ブロックＢ１の輝度分布は、単体光源Ｗ１１の輝度分布と単体光源Ｗ１２の輝度分布を足し合わせたものになる。このとき、輝度検出センサＳ１が検出する輝度は、光源ブロックＢ１の輝度分布上の位置Ｐ１の輝度である。また、輝度検出センサＳ２が検出する輝度は、光源ブロックＢ１の輝度分布上Ｐ２の輝度である。
【００４８】
ここで初期輝度検出時に輝度検出センサＳ１が取得する輝度検出値について説明する。単体光源Ｗ１１のみが点灯した時の単体光源Ｗ１１直上の輝度をＬW11、単体光源Ｗ１２
のみが点灯した時の単体光源Ｗ１２直上の輝度をＬW12とする。この場合、光源ブロック
Ｂ１が点灯したときに輝度検出センサＳ１が取得する輝度検出値ＬS1B1は以下の式（５）で表現される。
【数５】
2014170218.tif 000007
【００４９】
同様に、光源ブロックＢ１が点灯したときに輝度検出センサＳ２が取得する輝度検出値ＬS2B1は以下の式（６）で表現される。
【数６】
2014170218.tif 000008
【００５０】
上記、式（５）及び式（６）による連立方程式をＬW11について解くことで、光源ブロ
ックＢ１を構成する単体光源Ｗ１１の輝度ＬW11は次の式（７）で表現される。 
【数７】
2014170218.tif 000009
【００５１】
同様に、光源ブロックＢ１を構成する単体光源Ｗ１２の輝度ＬW12は次の式（８）で表
現される。
【数８】
2014170218.tif 000010
【００５２】
上記、式（７）、式（８）から輝度検出センサＳ１が検出した輝度検出値ＬS1B1及び輝度検出センサＳ２が検出した輝度検出値ＬS2B1から、単体光源Ｗ１１及び単体光源Ｗ１２の輝度ＬW11及びＬW12が求められる。
【００５３】
以上が、ステップＳ１０７にて光源輝度検出部１５による検出結果に基づいて行われる輝度検出処理である。
【００５４】
ステップＳ１０７の処理を行ったのち、ステップＳ１０８において、制御部２２は、光源輝度検出部１５が取得した輝度検出値をｎ番目の光源ブロックの輝度検出値としてメモリ１６に保存する。
【００５５】
次に、ステップＳ１０９において、制御部２２は、光源ブロック番号カウンタを１繰り上げる。
【００５６】
次に、ステップＳ１１０において、制御部２２は、光源ブロック番号カウンタが光源ブロック数（Ｎ）と一致しているか否かを判定する。一致していない場合、制御部２２はステップＳ１０６に戻り、Ｓ１０６からＳ１０９までの処理を繰り返し行う。
【００５７】
制御部２２は、上記一連の処理を全光源ブロックの測定が完了するまで行う。
【００５８】
次に、図６と図７、図８を用いて本発明の輝度分布推測処理と輝度補正処理について説明する。図６は、経年劣化後に推測した輝度分布形状に基づいて輝度補正処理を行うときのフローチャートである。図７は初期時と経年劣化後に輝度検出センサが取得した輝度検出値、及び光源ブロックＢ１の輝度の変化を示す表である。また、図８は、経年劣化後の輝度分布について示す図である。
【００５９】
まず図６を用いて輝度分布推測処理と輝度補正処理を行うときのフローチャートについて説明する。
【００６０】
最初に図６のステップＳ２００において、制御部２２は、光源ブロック番号のカウンタｎに１を設定する。
【００６１】
次に、ステップＳ２０１において、光源駆動回路部１４は、ｎ番目の光源ブロックのみを点灯させる。
【００６２】
次に、ステップＳ２０２において、光源輝度検出部１５は、ｎ番目の光源ブロック周囲にある輝度検出センサから輝度検出値を取得する。ここで、輝度検出値を取得する輝度検出センサの数と位置は図４のステップＳ１０７で測定したものと同一とする。光源輝度検出部１５は、測定した輝度検出値を光源輝度比較部１７へ送信する。
【００６３】
次に、ステップＳ２０３において、光源輝度比較部１７は、図４のステップＳ１０８でメモリ１６に保存された初期時の輝度検出値をメモリ１６から読み出す。
【００６４】
次に、ステップＳ２０４において、光源輝度比較部１７は、ステップＳ２０３で読み出した初期時の輝度検出値と、ステップＳ２０２で測定した経年時の輝度検出値とを比較する。
【００６５】
次に、ステップＳ２０５において、光源輝度比較部１７は、ステップＳ２０４で行った輝度検出値の比較結果に基づき、複数の輝度検出センサ同士で、初期輝度検出値と経年時輝度検出値との比例関係が同じであるか否かを判定する。すなわち、輝度検出センサＳ１による初期輝度検出値に対する経年時輝度検出値の変化率と、輝度検出センサＳ２による初期輝度検出値に対する経年時輝度検出値の変化率と、が等しいか否かを判定する。ここでは、初期輝度検出値に対する経年時輝度検出値の変化率の、輝度検出センサ同士での差分が、閾値以内である場合に、複数の輝度検出センサ同士で、初期輝度検出値と経年時輝度検出値との比例関係が同じであると判定するものとする。ステップＳ２０５で比例関係が同じであると判定された場合、光源輝度比較部１７は、光源ブロックを構成する単体光源の輝度の経年劣化が一様であると判断し、ステップＳ２０７に進む。
【００６６】
ステップＳ２０５において、比例関係が同じでないと判定された場合、光源輝度比較部１７は、同一光源ブロック内の単体光源の輝度劣化度にばらつきが発生していると判断し、ステップＳ２０６に進む。
【００６７】
ステップＳ２０６にて、輝度分布推測部１８は、輝度分布形状の変化を推測する。
【００６８】
ここで、ステップＳ２０６にて輝度分布推測部１８が行う輝度分布推測処理について、図７と図８を用いて説明する。
【００６９】
輝度分布推測部１８は、まず、光源ブロックＢ１の初期時（時刻Ｔ０とする）に輝度検出センサＳ１及びＳ２が検出した輝度検出値ＬS1B1（Ｔ０）及びＬS2B1（Ｔ０）をメモリ１６から読み出す。次に、輝度分布推測部１８は、経年時（時刻Ｔ１とする）に輝度検出センサＳ１及びＳ２が検出した輝度検出値ＬS1B1（Ｔ１）及びＬS2B1（Ｔ１）と、初期時の輝度検出値とを比較する。
【００７０】
比較結果の一例を図７に示す。図７によると、輝度検出センサＳ１による輝度検出値が５％低下、輝度検出センサＳ２による輝度検出値が２５％低下となっており、輝度検出センサＳ２による輝度検出値の変化度が輝度検出センサＳ１による輝度検出値の変化度より大きくなっている。すなわち、輝度検出センサＳ１とＳ２とで、初期輝度検出値と経年時輝度検出値との比例関係が同じでない。
【００７１】
この場合、輝度検出センサＳ２は単体光源Ｗ１２近傍に配置されていることから、単体光源Ｗ１２の劣化が単体光源Ｗ１１よりも進んでいることが予想される。この場合、光源ブロックＢ１の経年後の輝度分布形状は、図８のように、単体光源Ｗ１２付近で、単体光源Ｗ１２の初期時と経年時との輝度変化分だけ変化していることが予想される。
【００７２】
単体光源Ｗ１２の経年時の輝度分布は、単体光源Ｗ１２の初期時の輝度分布に、初期時（Ｔ０）の輝度検出値と経年時（Ｔ１）の輝度検出値との比をかけあわせた次の式で表すことができ、
【数９】
2014170218.tif 000011
となる。ここで、Ｍは輝度分布実測時の分割数である。単体光源Ｗ１１の輝度分布も同様に算出し、単体光源Ｗ１１と単体光源Ｗ１２の経年時の輝度分布を足し合わせたものが経年時（Ｔ１）の光源ブロックＢ１の輝度分布となる。 
【００７３】
また、光源ブロックＢ１の中心点における輝度ＬB1（Ｔ１）は、
【数１０】
2014170218.tif 000012
であらわされる。
【００７４】
次に、ステップＳ２０７において、制御部２２は、光源ブロック番号カウンタを１繰り上げる。
【００７５】
次に、ステップＳ２０８において、制御部２２は、光源ブロック番号カウンタが光源ブロック数（Ｎ）と一致しているか否かを判定する。一致していない場合、制御部２２はステップＳ２０１に戻り、Ｓ２０１からＳ２０７までの処理を繰り返し行う。
【００７６】
全光源ブロックについて輝度分布推測処理が終わった後、ステップＳ２０９において、光源駆動条件設定部１９は、輝度分布形状の変化に基づき新たな駆動条件を設定して、光源ブロック毎の発光量を調整する。実施例１では、光源駆動条件設定部１９は、最も輝度低下が進んでいる光源Ｗ１２の輝度変化度に応じて、光源ブロックＢ１の輝度を３３％上昇させるための駆動条件を設定する。設定した駆動条件で点灯させた場合の光源ブロックＢ１の輝度分布を図９に示す。図９では、経年時の輝度分布形状のまま、全体の輝度が３３％上昇しており、新たな駆動条件での輝度分布の形状は、初期時の輝度分布の形状を包含する形になっていることがわかる。この場合の、光源駆動条件設定部１９による光源ブロックＢ１の発光量の調整値は、１．３３である。
【００７７】
次に、ステップＳ２１０において、補正部１１は、ステップＳ２０９における輝度補正の結果、初期時の輝度分布よりも輝度が上昇する領域を想定する。想定した結果を図１０に示す。輝度が上昇する領域が輝度ムラとなって現れないようにするために、次のステッ
プＳ２１１にて、補正部１１は、表示部１２へ入力する画像信号に対しムラ補正処理を行う。図１０の例では、輝度が上昇する領域において、輝度の上昇度合に応じて画素値を小さくする補正を行う。
具体的には、補正部１１は、式（９）で表される経年時（Ｔ１）における輝度値ＬX1(T1)，ＬX2(T1)，ＬX3(T1)，・・・ＬXM(T1)に対して、設定変更後（調整後）の駆動条件で光源ブロックＢ１を点灯させた場合の輝度分布を算出する。つまり、光源ブロックＢ１の輝度を３３％上昇させた場合は、式（９）で表される経年時（Ｔ１）における輝度値ＬX1(T1)，ＬX2(T1)，ＬX3(T1)，・・・ＬXM(T1)に対して、１．３３倍した輝度値が算出される。このようにして、経年時（Ｔ１）における、設定変更後の駆動条件による輝度補正が加味された輝度分布情報が算出される。そして、補正部１１は、経年時（Ｔ１）における設定変更後の駆動条件での輝度分布情報と、初期時（Ｔ０）における輝度分布情報との差分を算出し、初期時（Ｔ０）における輝度分布に近づくように、表示部１２へ入力する画像信号に対しムラ補正処理を行う。光源１３が複数の光源ブロックからなる場合、補正部１１は、各光源ブロックに対応する画像領域の画像信号に対し、各光源ブロックの発光量に基づき補正を行う。
なお、本実施例では、補正部１１が高精度に補正を行えるようにするため、輝度分布推測部１８を設けた。具体的には、初期時（Ｔ０）における単体光源から予め定められた距離Ｘｍ毎の輝度分布を予め記憶し、経年時（Ｔ１）における単体光源から予め定められた距離Ｘｍ毎の輝度分布を推測するようにした。しかし本発明はこれに限定されない。例えば、輝度分布推測部１８は設けなくてもよい。この場合、輝度検出センサＳ１，Ｓ２，・・・に対応する検出位置Ｐ１，Ｐ２，・・・における初期時（Ｔ０）の輝度情報だけを、メモリ１６に予め記憶する。そして、初期時（Ｔ０）の輝度情報と、経年時（Ｔ１）における輝度検出センサＳ１，Ｓ２，・・・により検出された輝度情報とに基づき、光源駆動条件設定部１９により光源ブロック毎に発光量が調整される。補正部１１は、メモリ１６に記憶された初期時（Ｔ０）の輝度情報と、経年時（Ｔ１）に輝度検出センサＳ１，Ｓ２，・・・により検出された輝度情報と、光源駆動条件設定部１９による光源ブロック毎の発光量の調整値とに基づき、ムラ補正処理を行う。このムラ補正処理は、初期時（Ｔ０）における輝度分布に近づくように、表示部１２へ入力する画像信号に対して行われる。
【００７８】
ステップＳ２０９からＳ２１１において決定した光源の駆動条件で光源駆動回路部１４が光源１３を駆動するとともにムラ補正処理された画像信号に基づき表示部１２が液晶の透過率が調節されることにより、表示画像における輝度ムラを抑制できる。
【００７９】
すなわち、同一のＬＥＤ駆動回路に接続されるＬＥＤの経年劣化度に個体差が生じた場合であっても、表示画像における輝度ムラを抑制することができる。
【００８０】
本実施例では簡単のため光源ブロックが単体光源２個で構成されている場合について説明したが、本実施例は光源が二次元配列されている場合にも適用可能である。一例として、一つの光源ブロックが単体光源４個で構成され、単体光源が二次元的に配列されている場合を図１１に示す。
【００８１】
図１１に示す例では、光源ブロックＢ１の中心から２Ｄ〜３Ｄの範囲内に輝度検出センサＳ１、Ｓ２、Ｓ３、Ｓ４がある。単体光源Ｗ１１から単体光源Ｗ１４まで一つずつ点灯させたときに輝度検出センサＳ１、Ｓ２、Ｓ３、Ｓ４が取得する輝度検出値と各単体光源の輝度分布との関係を測定して、光源ブロックの拡散構造に関する係数ＣW11S1〜ＣW14S4を算出する。これらの係数と光源ブロックＢ１が点灯した時の各輝度検出センサによる輝度検出値に基づいて光源ブロックＢ１の輝度分布を推測することになる。図１１の場合、輝度分布はＳ１−Ｓ２断面、Ｓ１−Ｓ３断面、Ｓ１−Ｓ４断面、及びＳ２−Ｓ３−Ｓ４断面について算出し、補間計算等により各断面の輝度分布で同輝度となる点同士を結ぶことで、二次元の輝度分布形状を推測する。そして、二次元の輝度分布形状に基づいて、表示
部１２に入力する画像信号に対しムラ補正を行う。これにより、光源ブロックを構成する４つの単体光源同士で経年時の輝度変化度にばらつきがある場合でも、表示画像におけるムラを抑制できる。
【００８２】
なお、図１１に示すような光源ブロックの構成では、Ｓ２−Ｓ４断面を中心に線対称の形状であるため、光源ブロックＢ１について求めた拡散構造に関する係数ＣW11S1〜ＣW14S4は、他の光源ブロックＢ４の輝度検出センサに適用可能である。このように光源ブロックの拡散構造及び輝度検出センサ配置の関係に対称性や同一性がある場合、拡散構造に関する係数の算出を簡略化することができる。
【００８３】
同一光源ブロックを構成する単体光源の数に特に制約はない。光源ブロックの輝度分布の推測の観点で、光源ブロックの隅に輝度検出センサを配置することが望ましい。輝度検出センサ配置の考え方は、光源１３の中心部と辺縁部で同一とすることができる。
【００８４】
（実施例２）
実施例１では、図７で示した輝度変化度のうち、最も輝度低下が大きかった光源Ｗ１２の輝度を初期時（Ｔ０）の輝度値まで上昇させるように光源駆動の補正をした。そして、この光源駆動の補正により初期時よりも輝度が上昇する領域を推測し、この領域の輝度を画像信号処理によって低減させることで、輝度ムラを抑制した。
【００８５】
実施例２では、輝度低下が最も小さい光源の輝度に、他の光源の輝度を合わせるように当該他の光源の輝度を上昇させることを特徴とする。図７の例の場合、輝度変化度0.750
の光源Ｗ１２の輝度変化度が輝度低下が最も小さい光源Ｗ１１の輝度変化度0.950と等し
くなるように光源ブロックＢ１の輝度を約２６％上昇させるよう光源駆動の補正を行う。そして、この光源駆動の補正により初期時よりも輝度が上昇する領域を推測し、この領域の画像信号に対し輝度ムラ抑制のための信号処理を行う。
【００８６】
本実施例によると、光源駆動の輝度上昇補正を最も輝度低下が大きい光源と最も輝度低下が小さい光源の差分に抑えることで消費電力の上昇を抑えることができる。
【００８７】
（実施例３）
実施例３は、図６のステップＳ２０６において推測された輝度分布形状に基づき、画像信号処理による輝度ムラ補正のみを行い、光源駆動の補正は行わない実施例である。
【００８８】
実施例３について、図８と図１２を用いて説明する。図１２は、実施例３によるムラ補正を行った結果である。
【００８９】
実施例３では、まず輝度低下が最も大きい単体光源の輝度分布形状を推測し、推測した輝度分布を同一光源ブロック内のすべての光源に適用したときの光源ブロックの輝度分布を求める。この輝度分布（目標分布（目標プロファイル）という）に基づき画像信号処理を行う。
【００９０】
図８の例を用いて説明すると、単体光源Ｗ１２の輝度低下（実施例１の式（９）で求められる）が最も大きい。そこで、経年後の単体光源Ｗ１１の輝度分布形状が、経年後の単体光源Ｗ１２の輝度分布形状と同一であると仮定する。その上で単体光源Ｗ１１と単体光源Ｗ１２の輝度分布と足し合わせた光源ブロックＢ１の輝度分布形状を目標輝度分布形状として、この目標輝度分布形状に基づいて画像信号処理による輝度ムラ補正を行う。つまり、輝度低下が最も大きい単体光源以外の単体光源の輝度が、輝度低下が最も大きい単体光源の輝度と等しい輝度まで低下したと仮定した場合の輝度分布と、実際の輝度分布と、の差分が相殺されるように画像処理を行う。輝度低下が大きくない単体光源に近い領域で
は、画素値が小さくなるように画像処理が行われることで、輝度低下が大きい単体光源に近い領域よりも液晶の透過率が低くなり、結果として表示輝度のムラを抑制できる。
【００９１】
本実施例によると、光源劣化のばらつきに起因する輝度ムラを、光源輝度を上昇させることなく精度良く補正することができる。
【００９２】
以上、実施例１から実施例３までが本発明の実施例となるが、本発明は以上説明した実施の形態に限定されるものではなく、種々の変形が可能である。
【００９３】
例えば、光源１３は赤／緑／青等の複数色の単体光源を所定の比率で点灯させて白色発光するものでもよい。
【符号の説明】
【００９４】
１１  補正部、１２  表示部、１３  光源、１５  光源輝度検出部、１６  メモリ、１８輝度分布推測部、１９  光源駆動条件設定部
【図１】
2014170218.tif 000013
【図２】
2014170218.tif 000014
【図３】
2014170218.tif 000015
【図４】
2014170218.tif 000016
【図５】
2014170218.tif 000017
【図６】
2014170218.tif 000018
【図７】
2014170218.tif 000019
【図８】
2014170218.tif 000020
【図９】
2014170218.tif 000021
【図１０】
2014170218.tif 000022
【図１１】
2014170218.tif 000023
【図１２】
2014170218.tif 000024